(57)【要約】      （修正有）【課題】ダイヤル錠の解錠番号等の覗き見による認知が防止されるダイヤル錠の操作部を提供する。【解決手段】所定の順位で操作対象となる数字もしくは文字９が同一仕様の形態で配列される操作列構造であり、数字もしくは文字９の特定のものが離間配置され、離間するスペースが本来存在すべき数字もしくは文字９の操作対象域１２とされてなる操作列構造及びその操作列構造を持つ。【選択図】図３
0003219256.tif 000002
【実用新案登録請求の範囲】
【請求項１】
所定の順位で操作対象となる数字もしくは文字が同一仕様の形態で配列される操作列構造であり、
前記数字もしくは文字の特定のものが離間配置され、
前記離間するスペースが本来存在すべき前記数字もしくは文字の操作対象域とされてなることを特徴とする操作列構造。
【請求項２】
前記操作対象域に表示模様が付されてなる請求項１記載の操作列構造。
【請求項３】
前記請求項１または２記載の操作列構造を用いて構成されるダイヤル錠。
【請求項４】
前記請求項１または２記載の操作列構造を用いて構成される入力操作キー。
【考案の詳細な説明】
【技術分野】
【０００１】  この考案は、ダイヤル錠や入力操作キーの操作列構造に関する。
【背景技術】
【０００２】  スポーツ施設等においては施設使用者が用いるロッカーが備えられており、そのロッカーには盗難防止のために、例えば、ダイヤル錠が使用されている。ダイヤル錠は、「０」〜「９」の数字が付された番号リングを複数段備え、それら番号リングの番号が所定の解錠番号に合わされることで解錠されるようになっている（基本構成については図１参照）。このようなダイヤル錠において、悪意を持つ第三者が解錠時にその解錠番号を覗き見て認知することで、盗難の問題が発生している。また、銀行のＡＴＭ等においても、操作時に暗証番号が覗き見られることで、犯罪に繋がる問題が発生している。
【考案の概要】
【考案が解決しようとする課題】
【０００３】  この考案は、上記の事情鑑みて行ったもので、ダイヤル錠の解錠番号やＡＴＭにおける暗証番号の覗き見による認知が防止されるようにすることを目的とする。
【課題を解決するための手段】
【０００４】  この考案は、所定の順位で操作対象となる数字もしくは文字が同一仕様の形態で配列される操作列構造であり、前記数字もしくは文字の特定のものが離間配置され、前記離間するスペースが本来存在すべき前記数字もしくは文字の操作対象域とされてなることを特徴とする操作列構造を提供する。【０００５】  上記構成によれば、特定の数字もしくは文字の離間するスペース、すなわち、操作列の数字もしくは文字が存在しない部分も操作対象域となる。その操作対象域の数字もしくは文字は、隣接して残る数字もしくは文字から認識されて操作対象域として用いられるが、外観においてはその数字もしくは文字は認識できない。【０００６】  操作対象域に表示模様が付されてなる構成とされることで、その表示模様を目安として操作対象域の位置が確認でき、操作が容易になされる。【０００７】  この考案の操作列構造は、ダイヤル錠や入力操作キーに用いられる。ダイヤル錠の解錠番号やＡＴＭの暗証番号において数字や文字のない操作対象域が使用されることで、解錠番号、暗証番号が覗き見により認知されることが防止される。
【考案の効果】
【０００８】  この考案によれば、ダイヤル錠の解錠番号やＡＴＭにおける暗証番号の覗き見による認知が防止されるようになって、安全性が高められる。
【図面の簡単な説明】
【０００９】
【図１】  この考案のダイヤル錠の実施形態の外観斜視図
【図２】  この考案のダイヤル錠のダイヤルリングの実施形態の外観斜視図
【図３】  この考案のダイヤル錠のダイヤルリングの実施形態の展開説明略図
【図４】  この考案のダイヤル錠のダイヤルリングの異なる実施形態の展開説明略図
【図５】  この考案のダイヤル錠のダイヤルリングの異なる実施形態の展開説明略図
【図６】  この考案のダイヤル錠のダイヤルリングの異なる実施形態の展開説明略図
【図７】  この考案のダイヤル錠のダイヤルリングの異なる実施形態の展開説明略図
【図８】  この考案のダイヤル錠が使用されるドアノブカバーの実施形態の斜視図
【図９】  この考案のダイヤル錠の異なる実施形態の外観部分斜視図
【図１０】  この考案の入力操作キーの実施形態の部分平面図
【考案を実施するための形態】
【００１０】  図１はこの考案のダイヤル錠を示し、ダイヤル錠１は、本体部２とロックアーム３とダイヤル操作部４とを備え、ダイヤル操作部４にはこの考案の操作列構造を持つダイヤルリング７が４段配置されている。
【００１１】  図２はダイヤル錠１で使用されるダイヤルリング７の斜視図、図３は同展開説明略図である。ダイヤルリング７は区画部５それぞれにより１０個に区画され、１番目、３番目、５番目、７番目、９番目の区画１０のそれぞれには「１」「３」「５」「７」「９」の数字９が表示され、それらに隣接する２番目、４番目、６番目、８番目、１０番目の区画（本来存在すべき数字の操作対象域）１２のそれぞれには本来存在すべき数字である「２」「４」「６」「８」「０」の数字に代えて「＊」の表示模様１３が表示されている。例えば、ダイヤル錠１のダイヤルリング７における解錠番号が上から「２」「７」「６」「３」の配列とする場合、解錠の際には「＊」「７」「＊」「３」と合せるもので、その際、１段目の「＊」は「１」と「３」とを目安としてその間の「＊」が、３段目の「＊」は「５」と「７」とを目安としてその間の「＊」がそれぞれ合される。これにより、仮に解錠時に解錠番号が覗き見られた場合にも、「＊」「７」「＊」「３」と見えることで解錠番号が「２」「７」「６」「３」と認知されることが容易でなく、悪意の第三者に解錠番号が知られることが防止される。例えば、解錠番号が「２」「４」「６」「８」の場合は、「＊」「＊」「＊」「＊」の配列となる。
【００１２】  図４から図７はダイヤルリング７の他の実施形態の展開説明略図である。図４に示すダイヤルリング７では、区画１２において上記実施形態における「＊」の表示模様１３を使用していない。図５に示すダイヤルリング７では、１番目、４番目、７番目、１０番目の区画１０のそれぞれに「１」「４」「７」「０」の数字９が表示され、それら以外の２番目、３番目、５番目、６番目、８番目、９番目の区画１２のそれぞれには本来存在すべき数字である「２」「３」「５」「６」「８」「９」の数字に代えて「＊」の表示模様１３が表示されている。
【００１３】  図６に示す実施形態のダイヤルリング７では、アルファベット文字列を使用し、１番目、３番目、５番目、７番目、９番目の区画１０のそれぞれには「Ａ」「Ｃ」「Ｅ」「Ｇ」「Ｉ」の英文字９が表示され、それらに隣接する２番目、４番目、６番目、８番目、１０番目の区画１２のそれぞれには本来存在すべき英文字である「Ｂ」「Ｄ」「Ｆ」「Ｈ」「Ｊ」の英文字９に代えて「＊」の表示模様１３が表示されている。例えば、ダイヤル錠１のダイヤルリング７における解錠番号が上から「Ｂ」「Ｇ」「Ｆ」「Ｃ」の配列とする場合、解錠の際には「＊」「Ｇ」「＊」「Ｃ」と合せる。その際、１段目の「Ｂ」は「Ａ」と「Ｃ」とを目安としてその間の「＊」の表示模様１３が、３段目の「＊」は「Ｅ」と「Ｇ」とを目安としてその間の「＊」の表示模様１３がそれぞれ合される。図７に示すダイヤルリング７では、１番目、３番目、５番目、７番目、９番目の区画１２のそれぞれには「Ｉ」「ＩＩＩ」「Ｖ」「ＶＩＩ」「ＩＸ」の英数字よりなる表示模様１３が表示され、それらに隣接する２番目、４番目、６番目、８番目、１０番目の区画１０のそれぞれには「２」「４」「６」「８」「０」の数字９が表示されている。例えば、ダイヤル錠１のダイヤルリング７における解錠番号が上から「２」「７」「６」「３」の配列とする場合、解錠の際には「２」「ＶＩＩ」「６」「ＩＩＩ」と合せる。
【００１４】  上記それぞれの実施形態のものにおいて、図３の実施形態のものと同様に、残る数字または文字９を目安として区画１２が特定されることで解錠番号が合され、かつ、覗き見による解錠番号認知が防止される。
【００１５】  図８は上記ダイヤル錠１と同構成のダイヤル錠１０１を備えるドアノブカバー１０２を示し、そのダイヤル錠１０１が解錠される状態においてドアノブへの取り付け、取り外しが行われる。このドアノブカバー１０２は特定の者のみしかドアノブが操作できないように取り付けて防犯性能を向上させるもので、解錠番号の覗き見による認知が阻止されるダイヤル錠１０１を備えることでより高い防犯性能が発揮される。
【００１６】  図９はこの考案のダイヤル錠の他の実施形態を示し、この実施形態のダイヤル錠５０はドア５２に一体に設けられており、ドア５２面に円形のこの考案の操作列構造を持つダイヤル操作部５１が備えられている。ダイヤル操作部５１の前面にはその周縁に沿う位置に「１」「３」「５」「７」「９」の数字５６が表示され、それらの間の区画それぞれには「２」「４」「６」「８」に代えて全て「＊」の表示模様５５が表示されている。
【００１７】  このダイヤル錠５０は、ダイヤル操作部５１が左右に回転操作され数字５６が目印５３に順次合わされることで解錠される。例えば、右回転により「２」、左回転により「７」、右回転により「６」の数字５６を目印５３に順次合わせることで解錠される場合は、右回転により「１」と「３」の間の「＊」の表示模様５５、左回転により「７」の数字５６、右回転により「５」と「７」との間の「＊」の表示模様５５を目印５３に順次合わせることで解錠される。これにより、仮に解錠時に解錠番号が覗き見られた場合にも、解錠番号が「２」「７」「６」と認知されることは困難で、悪意の第三者に解錠番号が知られることが防止される。
【００１８】  図１０はこの考案の入力操作キー６０を示し、この入力操作キー６０は、例えば、銀行のＡＴＭの表示画面に形成され、金額や暗証番号の入力に使用される。入力操作キー６０は縦方向に３列の１０個のキー６１、６４を備え、各列のキー６１において「３」「５」「７」の数字に代えて「＊」の表示模様６２が表示され、その他のキー６４には「０」「１」「２」「４」「６」「８」の数字６５が表示されている。例えば、暗証番号が「２」「７」「３」「８」である場合には、「２」の数字６５のキー６４、「６」と「８」の間の「＊」の表示模様６２のキー６１、「２」と「４」の間の「＊」の表示模様６２のキー６１、「８」の数字６５のキー６４を順次接触入力する。これにより、その操作時に暗証番号が覗き見られた場合にも、暗証番号が「２」「７」「３」「８」と認知されることが容易でなく、暗証番号が他人に知られることが防止される。
【符号の説明】
【００１９】１  ダイヤル錠
７  ダイヤルリング
９  数字
１２  区画（操作対象域）
１３  表示模様
【図１】
0003219256.tif 000003
【図２】
0003219256.tif 000004
【図３】
0003219256.tif 000005
【図４】
0003219256.tif 000006
【図５】
0003219256.tif 000007
【図６】
0003219256.tif 000008
【図７】
0003219256.tif 000009
【図８】
0003219256.tif 000010
【図９】
0003219256.tif 000011
【図１０】
0003219256.tif 000012
【手続補正書】
【提出日】平成30年9月25日(2018.9.25)
【手続補正１】
【補正対象書類名】実用新案登録請求の範囲
【補正対象項目名】全文
【補正方法】変更
【補正の内容】
【実用新案登録請求の範囲】
【請求項１】
所定の順位で操作対象となる数字もしくは文字が同一仕様の形態で配列される操作部であり、前記操作部には、複数の区画が形成され、前記区画の一部には、前記数字もしくは文字の特定のものが不連続に離間配置され、前記区画の残りには、前記数字もしくは文字が配置されず、かつ、本来存在すべき前記数字もしくは文字の操作対象域として機能することを特徴とする操作部。
【請求項２】
前記区画の残りに、前記数字もしくは文字に代えて表示模様が付されてなる請求項１記載の操作部。
【請求項３】
請求項１または２記載の操作部を用いて構成されるダイヤル錠であって、前記操作部は、前記区画がリング状に並べられたダイヤルリングもしくは円形に並べられたダイヤル操作部である、ダイヤル錠。
【請求項４】
請求項１または２記載の操作部を用いて構成される入力操作キーであって、前記操作部は、前記区画に代えてキーが複数列に表示されている、入力操作キー。